(57)【要約】      （修正有）【課題】構成が簡単で安価なスキー練習装置を提供する。【解決手段】互いに縦方向に対向する前端部および後端部を有し、前端部が縦方向に平行な垂直平面の両側に設けられた一対の枢支ポールを有し、枢支ポールの各々が垂直平面に対して或る角度で傾斜するポール軸を有する基底フレーム３０と、枢支ポールの各々に回転可能にはめ込まれた枢支チューブ４１と、枢支チューブから基底フレームの後端部へ縦方向に延びる支持棒４３と、支持棒に搭載された足支持台と、前記垂直平面から離れて枢支チューブから延びる接続フランジ４２とを各々備える一対の足踏み部材と、基底フレームの前端部に対して縦方向に移動可能に搭載されたリール搭載部と、リール搭載部に回転可能に搭載され足踏み部材間に設けられたリール５２と、リールに巻き付けられ足踏み部材の接続フランジにそれぞれ接続される両端を有するベルトとを備える連結ユニットと、を備えるスキー練習装置。【選択図】図３
0003108994.tif 000002
【実用新案登録請求の範囲】
【請求項１】
互いに縦方向に対向する前端部および後端部を有し、前端部が前記縦方向に平行な垂直平面の両側に設けられた一対の枢支ポールを有し、枢支ポールの各々が前記垂直平面に対して或る角度で傾斜するポール軸を有する基底フレームと、
枢支ポールの各々に回転可能にはめ込まれた枢支チューブと、枢支チューブから基底フレームの後端部へ縦方向に延びる支持棒と、支持棒に搭載された足支持台と、前記垂直平面から離れて枢支チューブから延びる接続フランジとを各々備える一対の足踏み部材と、
基底フレームの前端部に対して縦方向に移動可能に搭載されたリール搭載部と、リール搭載部に回転可能に搭載され足踏み部材間に設けられたリールと、リールに巻き付けられ足踏み部材の接続フランジにそれぞれ接続される両端を有するベルトとを備える連結ユニットと、
を備えるスキー練習装置。
【請求項２】
基底フレームに枢支される第１端部と、第１端部の反対側で足踏み部材の各々の接続フランジに枢支される第２端部とを各々備える一対の減衰部材をさらに備える請求項１記載のスキー練習装置。
【請求項３】
減衰部材の各々が長さ可変液体シリンダーである請求項２記載のスキー練習装置。
【請求項４】
連結ユニットがリール搭載部を基底フレームの前端部に移動可能に固定するねじ式締め付け具を備える請求項１記載のスキー練習装置。
【考案の詳細な説明】
【技術分野】
【０００１】
この考案は練習装置に関し、さらに詳しくは、スキー練習装置に関する。
【背景技術】
【０００２】
図１を参照すると、従来の足踏み練習装置具が示され、それは、前端部１２と、前端部１２に枢動可能に接続された一対の足支持台１４と、一対の液圧抵抗シリンダー１５とを備え、シリンダー１５の各々は前端部１２と足支持台１４の各々に枢支されている。上述の従来の足踏み練習装置１０は意図する目的を達成できるが、従来の足踏み練習装置１０は単調で、その機能性および効果に限界がある。
【０００３】
図２を参照すると、従来のスキー練習装置２０は、底部フレーム２１と、底部フレーム２１の後端に直立するＹ字形支持部材２２と、Ｙ字形支持部材２２に枢支された一対の枢支棒２３に各々搭載された一対の足支持台と、一対のハンドル棒２５とを備え、ハンドル棒２５の各々は底部フレーム２１に枢支された下端部を有する。一組の第１液圧抵抗シリンダー２６は、各々、底部フレーム２１とハンドル棒２５の各々に枢支される。
一組の第２液圧抵抗シリンダー２７は、各々支持部材２２と枢支棒２３の各々に枢支される。そのように、スキーの練習は、足支持台２４と同様にハンドル棒２５を操作することにより、行うことができる。
しかしながら、多くの液圧抵抗シリンダー２６、２７を用いることにより、従来のスキー練習装置２０は比較的高価になる。
さらに、各足支持台２４が独立して操作されるので、足支持台２４上に異なる押圧力がかかると、円滑な足踏み練習が保証されない。
【考案の開示】
【考案が解決しようとする課題】
【０００４】
この考案の目的は、単純な構造を有するスキー練習装置を提供することである。
【課題を解決するための手段】
【０００５】
この考案は、互いに縦方向に対向する前端部および後端部を有し、前端部が前記縦方向に平行な垂直平面の両側に設けられた一対の枢支ポールを有し、枢支ポールの各々が前記垂直平面に対して或る角度で傾斜するポール軸を有する基底フレームと、
枢支ポールの各々に回転可能にはめ込まれた枢支チューブと、枢支チューブから基底フレームの後端部へ縦方向に延びる支持棒と、支持棒に搭載された足支持台と、前記垂直平面から離れて枢支チューブから延びる接続フランジとを各々備える一対の足踏み部材と、
基底フレームの前端部に対して縦方向に移動可能に搭載されたリール搭載部と、リール搭載部に回転可能に搭載され足踏み部材間に設けられたリールと、リールに巻き付けられ足踏み部材の接続フランジにそれぞれ接続される両端を有するベルトとを備える連結ユニットと、を備えるスキー練習装置を提供するものである。
【考案の効果】
【０００６】
この考案によれば、構造が簡単で、安価なスキー練習装置が提供される。
【考案を実施するための最良の形態】
【０００７】
図３と図４を参照すると、この考案によるスキー練習装置の好ましい実施形態が示され、この装置は、基底フレーム３０と、一対の足踏み部材４０と、連結ユニット５０と、一対の減衰ユニット６０とを備える。
【０００８】
この実施形態において、基底フレーム３０は、縦（Ａ）方向に互いに対向する前端部３２および後端部３３と、前端部３２と後端部３３とを相互に連結する中間部３１と、前端部３２および後端部３３の間に延びそれらにそれぞれ連結される対向外側チューブ３６とを備える。前端部３２は、棒状体３２１と、棒状体３２１の上に搭載されたポール搭載台３４と、ポール搭載台３４の上に搭載され縦（Ａ）方向に平行な垂直平面（Ｂ）（図７参照）の両側に設けられた一対の枢支ポール３５とを備える。枢支ポール３５はそれぞれ、垂直平面Ｂ（図７参照）に対して角度（θ）だけ傾くポール軸（Ｘ１，Ｘ２）を有する（図７参照）。
対向外側チューブ３６の各々は、図５に最もよく示されるように、棒状体３２１の各端部に挿入される第１端部３６１と、後端部３３のチューブ状端部に挿入され一対の留め金具３３１によって固定される第２端部３６２とを備える。
【０００９】
足踏み部材４０の各々は、図４と図７に最もよく示されるように、枢支ポール３５の各々に回転可能にはめ込まれる枢支チューブ４１と、枢支チューブ４１から基底フレーム３０の中間部３１へ縦（Ａ）方向に延びる支持棒４３と、支持棒４３に搭載された足支持台４４と、垂直平面Ｂから離れる方向に枢支チューブ４１から延びて留め具穴４２１および留め具穴４２２を備える接続フランジ４２とを備える。この実施態様では、図４と図６に最もよく示されるように足踏み部材４０の各々は枢支ポール３５の各々に回転可能にはめ込まれ枢支チューブ４１の下部開放端４１４に搭載されたワッシャセット４１２と、枢支チューブ４１の上部開放端４１１に搭載されたキャップセット４１３をさらに備える。
【００１０】
連結ユニット５０は、基底フレーム３０の前端部３２に対して縦方向に移動可能に搭載されたリール搭載部５１と、リール搭載部５１に回転可能に搭載され足踏み部材４０の間に設けられたリール５２と、リール５２に巻き付いて両端５３１を有するベルト５３とを備え、両端５３１の各々は留め具穴４２１を介して延びる留めねじ５３２によって足踏み部材４０の各々の接続フランジ４２に接続されている。なお、連結ユニット５０は、リール搭載部５１を基底フレーム３０の前端部３２へ移動可能に締めつけるためのねじ式締め付け具５４をさらに備える。この実施形態においては、図８に示すように、リール搭載部５１は、ポール搭載台３４において搭載管３４１の中へ延びてねじ穴５１２１を備える筒状軸部５１２と、筒状軸部５１２に接続されたＵ字形部５１１とを備える。リール５２はＵ字形部５１１に回転可能に搭載される。ねじ式締め付け具５４は、ポール搭載台３４において搭載管３４１の中へ延びて連結ユニット５０のリール搭載部５１の筒状軸部５１２におけるねじ穴５１２１と係合するねじ棒５４２と、ねじ棒５４２に接続されポール搭載台３４の外側に設けられた操作ヘッド５４１とを備える。上述の形態において、ベルト５３の張力は、ねじ式締め付け具５４の操作ヘッド５４１を操作してＵ字形部５１１を縦（Ａ）方向に基底フレーム３０の前端部３２に近づくか遠ざかるように移動させることによって調整できる。
【００１１】
この実施形態において、減衰ユニット６０の各々は、長さ可変液体シリンダーであり、基底フレーム３０の後端部３３に隣接する中間部３１に搭載された枢支台６３に枢支されるシリンダー端部６１と、留め具穴４２２で各足踏み部材４０の接続フランジ４２に搭載されたＵ字形枢支部６４に枢支されるロッド端部６２とを有する。
【００１２】
実際の使用において、初期水平位置では、足踏み部材４０の一方の足支持台４４は、図９と１０の第１位置に示されるように、足踏み部材４０の他の一方の足支持台４４に対して平行で面一である。連結ユニット５０の存在により、足踏み部材４０の各々は各枢支ポール３５を中心に枢動可能であり、足踏み部材４０の一方の足支持台４４を駆動して初期水平位置から移動させる。
足踏み部材４０の一方の足支持台４４が下方および後方へ傾けられ、垂直平面（Ｂ）から離れるように、つまり、第２位置へ動かされる。次に、足踏み部材４０の一方の足支持台４４が、上方および後方に傾けられ、垂直平面（Ｂ）の方へ動かされ、同時に足踏み部材４０の他の一方の足支持台４４を駆動して最初の水平位置つまり第１位置から図１１と１２に示す第２位置へ移動させる。このようにしてスキーの練習を行うことができる。
【００１３】
さらに、２つの減衰ユニット６０と連結ユニット５０の存在により、この考案のスキー練習装置は前記従来のスキー練習装置に比べて単純な構造を有するので、この考案のスキー練習装置は安価に製造できる。
【００１４】
この考案は最も実用的で好ましい実施形態として考えられるものに関連して説明されたが、この考案が開示された実施形態に限定されず、最も広い解釈の精神と範囲内に含まれる種々の構成を含むように意図され、そのような変形と均等な構成とを包含するということが理解される。
【図面の簡単な説明】
【００１５】
【図１】従来の足踏み練習装置の斜視図である。
【図２】従来の足踏み練習装置の斜視図である。
【図３】この発明によるスキー練習装置の好ましい実施形態を示す斜視図である。
【図４】この発明によるスキー練習装置の好ましい実施形態を示す分解斜視図である。
【図５】好ましい実施形態の基底フレームを示す部分断面図である。
【図６】好ましい実施形態を示す側面図である。
【図７】好ましい実施形態を示す背面図である。
【図８】好ましい実施形態の連結ユニットを示す部分断面上面図である。
【図９】好ましい実施形態を示す上面図である。
【図１０】好ましい実施形態を示す正面図である。
【図１１】使用状態における好ましい実施形態を示す上面図である。
【図１２】図１１の実施形態を示す正面図である。
【符号の説明】
【００１６】
３０      基底フレーム
３１      中間部
３２      前端部前端部
３３      後端部
３４      ポール搭載台
３５      枢支ポール
３６      対向外側チューブ
４０      足踏み部材
４１      枢支チューブ
４２      接続フランジ
【００１７】
４３      支持棒
４４      足支持台
５０      連結ユニット
５１      リール搭載部
５２      リール
５３      ベルト
５４      ねじ式締め付け具
６０      減衰ユニット
６１      シリンダー端部
６２      ロッド端部
【００１８】
６３      枢支台
６４      Ｕ字形枢支部
３２１    棒状体前端部
３３１    留め金具
３４１    搭載管
３６１    第１端部
３６２    第２端部
４１１    上部開放端
４１２    ワッシャセット
４１３    キャップセット
【００１９】
４１４    下部開放端
４２１    留め具穴
４２２    留め具穴
５１１    Ｕ字形部
５１２    筒状軸部
５３１    両端
５３２    留めねじ
５４１    操作ヘッド
５４２    ねじ棒
５１２１  ねじ穴
【図１】
0003108994.tif 000003
【図２】
0003108994.tif 000004
【図３】
0003108994.tif 000005
【図４】
0003108994.tif 000006
【図５】
0003108994.tif 000007
【図６】
0003108994.tif 000008
【図７】
0003108994.tif 000009
【図８】
0003108994.tif 000010
【図９】
0003108994.tif 000011
【図１０】
0003108994.tif 000012
【図１１】
0003108994.tif 000013
【図１２】
0003108994.tif 000014